(57)【要約】【課題】床面と隣接する壁面最下部にマスカーの粘着テープ部を貼り付ける場合において、作業者の肉体的負担が少なく、効率良くマスカーの粘着テープ部の貼り付け作業ができる養生用マスカー貼付装置を提供すること。【解決手段】手押し部２を有する台車の台座１部分に、下部に片面粘着テープ部を有するロール巻きされたマスカー９を床面Ｕから僅かに離れた位置で保持する保持部５と、前記保持部５から床面Ｕと平行に引き出されたマスカー９の粘着テープ部９２の非粘着面側が巻き付き、その巻き付いた粘着テープ部２９２の先端域を壁面Ｈに押し付ける押付ローラ６とを備えており、前記保持部５で保持されたマスカー９、及び押付ローラ６は床面Ｕとの直交線を回転軸芯として回転自在である。【選択図】  図１
2004290842.tif 000002
【特許請求の範囲】
【請求項１】
手押し部を有する台車の台座部分に、下部に片面粘着テープ部を有するロール巻きされたマスカーを床面から僅かに離れた位置で保持する保持部と、前記保持部から床面と平行に引き出されたマスカーの粘着テープ部の非粘着面側が巻き付き、その巻き付いた粘着テープ部の先端域を壁面に押し付ける押付ローラとを備えており、前記保持部で保持されたマスカー、及び押付ローラは床面との直交線を回転軸芯として回転自在であることを特徴とする養生用マスカー貼付装置。
【請求項２】
台座は床面から僅かに離れ且つ床面と平行に配置された薄板材で形成されており、保持部はマスカーの円筒状芯体が挿入される台座上の直立軸部で構成されていることを特徴とする請求項１記載の養生用マスカー貼付装置。
【請求項３】
保持部から引き出されるマスカーの引き出し速度に対してロール巻き状態にあるマスカーが過回転しないように、回転軸芯に制動力を付与する制動手段を具備させてあることを特徴とする請求項２記載の養生用マスカー貼付装置。
【請求項４】
押付ローラの一部は台座から、平面視で台車移動方向に対して横方向に突出していることを特徴とする請求項１乃至３のいずれかに記載の養生用マスカー貼付装置。
【請求項５】
押付ローラは、台座内から突出する方向にバネで付勢してあり、前記バネの付勢力に抗して押し込み可能であることを特徴とする請求項４記載の養生用マスカー貼付装置。
【請求項６】
台座には後輪と前輪とを具備させてあり、前記前輪は一つであると共に平面視３６０°方向に自由に回転できるものとしてあることを特徴とする請求項１乃至５のいずれかに記載の養生用マスカー貼付装置。
【請求項７】
台座は後輪と前輪とを具備しており、前記後輪は一つ又は二つであり、その外周面には滑り止め処理を施しあることを特徴とする請求項１乃至６のいずれかに記載の養生用マスカー貼付装置。
【請求項８】
壁面と平行に台車を進行させたときに、押付ローラに対して壁面からの反力が増すように、平面視で手押し部を傾斜させてあることを特徴とする請求項１乃至７のいずれかに記載の養生用マスカー貼付装置。
【請求項９】
手押し部は、台座の後端部に回動自在に取り付けてあり、その取り付け位置の上方部分に折り曲げ部を形成してあることを特徴とする請求項１乃至７のいずれかに記載の養生用マスカー貼付装置。
【発明の詳細な説明】
【０００１】
【発明の属する技術分野】
この発明は、床面と隣接する壁面最下部にマスカーの粘着テープ部を貼り付けるための養生用マスカー貼付装置に関するものである。
【０００２】
【従来の技術】
業者が床面の大がかりな清掃や表面処理をする場合、通常、それに適合する装置（主として回転ブラシを有する装置）を用いて行うが、この作業時に、前記床面と隣接する壁面に汚水、離形処理剤等が飛んで汚れてしまうことがある。
【０００３】
したがって、業者は上記事態の発生を防止すべく、床面と隣接する壁面最下部にマスカーの粘着テープ部を貼り付け、つづら折り等された樹脂フィルムを上方に引き出し、壁面下部域の一定範囲を樹脂フィルムで覆うようにしていた。
【０００４】
ところが、この場合の粘着テープ部の貼り付け作業は、床面の隣接する壁面最下部にマスカーの粘着テープ部を貼り付けるものであるが故に、作業者は非常につらい姿勢状態を長いあいだ維持しなければならず、また、作業能率が非常に悪いという問題があった。
【０００５】
なお、塗装時においてマスカーを貼付けるための装置も存在する（例えば、特許文献１参照）が、この装置ではその機構上、上記問題を解決することができない。
【０００６】
近年、上記業者の間では、床面と隣接する壁面最下部にマスカーの粘着テープ部を貼り付ける場合において、作業者の肉体的負担が少なく、効率良く粘着テープ部の貼り付け作業ができる装置が開発されることを待ち望んでいる。
【０００７】
【特許文献１】
特開平１０−１２８１９２号公報
【０００８】
【発明が解決しようとする課題】
そこで、この発明では、床面と隣接する壁面最下部にマスカーの粘着テープ部を貼り付ける場合において、作業者の肉体的負担が少なく、効率良くマスカーの粘着テープ部の貼り付け作業ができる養生用マスカー貼付装置を提供することを課題とする。
【０００９】
【課題を解決する為の手段】
（請求項１記載の発明）
この発明の養生用マスカー貼付装置は、手押し部を有する台車の台座部分に、下部に片面粘着テープ部を有するロール巻きされたマスカーを床面から僅かに離れた位置で保持する保持部と、前記保持部から床面と平行に引き出されたマスカーの粘着テープ部の非粘着面側が巻き付き、その巻き付いた粘着テープ部の先端域を壁面に押し付ける押付ローラとを備えており、前記保持部で保持されたマスカー、及び押付ローラは床面との直交線を回転軸芯として回転自在である。
（請求項２記載の発明）
この発明は、上記請求項１記載の養生用マスカー貼付装置に関し、台座は床面から僅かに離れ且つ床面と平行に配置された薄板材で形成されており、保持部はマスカーの円筒状芯体が挿入される台座上の直立軸部で構成されている。
（請求項３記載の発明）
この発明は、上記請求項２記載の養生用マスカー貼付装置に関し、保持部から引き出されるマスカーの引き出し速度に対してロール巻き状態にあるマスカーが過回転しないように、回転軸芯に制動力を付与する制動手段を具備させてある。（請求項４記載の発明）
この発明は、上記請求項１乃至３のいずれかに記載の養生用マスカー貼付装置に関し、押付ローラの一部は台座から、平面視で台車移動方向に対して横方向に突出している。
（請求項５記載の発明）
この発明は、上記請求項４に記載の養生用マスカー貼付装置に関し、押付ローラは、台座内から突出する方向にバネで付勢してあり、前記バネの付勢力に抗して押し込み可能である。
（請求項６記載の発明）
この発明は、上記請求項１乃至５のいずれかに記載の養生用マスカー貼付装置に関し、台座には後輪と前輪とを具備させてあり、前記前輪は一つであると共に平面視３６０°方向に自由に回転できるものとしてある。
（請求項７記載の発明）
この発明は、上記請求項１乃至６のいずれかに記載の養生用マスカー貼付装置に関し、台座は後輪と前輪とを具備しており、前記後輪は一つ又は二つであり、その外周面には滑り止め処理を施しある。
（請求項８記載の発明）
この発明は、上記請求項１乃至７のいずれかに記載の養生用マスカー貼付装置に関し、壁面と平行に台車を進行させたときに、押付ローラに対して壁面からの反力が増すように、平面視で手押し部を傾斜させてある。
（請求項９記載の発明）
この発明は、上記請求項１乃至７のいずれかに記載の養生用マスカー貼付装置に関し、手押し部は、台座の後端部に回動自在に取り付けてあり、その取り付け位置の上方部分に折り曲げ部を形成してある。
【００１０】
なお、これら発明の養生用マスカー貼付装置の作用・効果については以下の発明の実施の形態の欄で明らかにする。
【００１１】
【発明の実施の形態】
以下、この発明の実施形態における養生用マスカー貼付装置について図面を用いながら詳細に説明する。
〔実施形態１〕
図１はこの発明の実施形態の養生用マスカー貼付装置Ｓの平面図であり、図２は前記養生用マスカー貼付装置Ｓの正面図である。
（この養生用マスカー貼付装置Ｓの基本的構成について）
この養生用マスカー貼付装置Ｓは、図１や図２に示すように、台座１と、前記台座１の後部に取り付けられている手押し部２と、前記台座１に設けられた前・後輪３，４と、前記台座１上に設けられている保持部５と、前記台座１上に設けられている押付ローラ６とから構成されている。なお、この実施形態では、上記した台座１、前・後輪３，４により台車が形成されている。
【００１２】
以下に、この養生用マスカー貼付装置Ｓを構成する主要構成、及び前記貼付装置Ｓにより壁面Ｈに貼り付けられるマスカー９の構成について説明する。
（マスカー９の構成について）
マスカー９は、図６や図７に示すように、つづら折りされた樹脂フィルム９１の下縁部に粘着テープ部９２の上縁部を接着し、これを円筒状芯体９０に巻き付けてロール状に形成されている。
【００１３】
なお、上記樹脂フィルム９１には静電気が発生しており、樹脂フィルム９１を広げた状態において壁面Ｈに吸着するようになっている。
（台座１の構成について）
台座１は、図１や図２に示すように、厚み１ｍｍ程度のＳＵＳ３０４の板材で構成された平面視略長方形状のものであり、移動方向に対して右側前部の延設部１０を除いた周囲部分には上方に向かって延びるリブ１１を形成してある。
【００１４】
ここで上記したリブ１１は、図１や図２に示すように、前側リブ１１ａ及び左右側リブ１１ｂ，１１ｃは２０ｍｍ程度の高さとし、後側リブ１１ｄは５０ｍｍ程度の高さとしてあり、よって厚み１ｍｍ程度のＳＵＳ３０４の板材であっても台座１としての強度は十分に確保されたものとなっている。
（手押し部２の構成について）
手押し部２は、図１や図２に示すように、Ｔ字状に形成された管体のうち縦管の下端部付近を折り曲げて成る本体部２０と、上記した後側リブ１０ｄに固定された縦孔２２を有する取付部材２１とから構成されており、前記本体部２０の下端部を縦孔２２に嵌入した状態で二つの手回しボルト２３で回動不能に取り付けてある。
【００１５】
なお、この手押し部２は、二つの手回しボルト２３をしっかりと締め付けると取付部材２１に対して回動不能となり、二つの手回しボルト２３を緩めると取付部材２１に対して回動可能となる。つまり、手押し部２は上記台座１の中心線ＣＬに対して角度を変え得るようにしてある。
（前・後輪３，４の構成について）
前輪３は、図１や図２に示すように、１つのボールローラを台座１に対して球面対偶状態に取り付けて構成してあり、平面視３６０°方向のいずれの方向でも自由に回転できるようにしてある。
【００１６】
後輪４は、図１や図２に示すように、両端に軸部４１を有するローラ４０（外周面がゴムライニング４３されている）で構成されており、台座１の上面に設けられたスプロケット４２，４２で前記軸部４１，４１を回転自在に支持させたものとしてある。なお、この後輪４は、台座１を進行方向に移動させた場合において当該台座１が壁面Ｈに近づくように回転軸芯を３°程度傾けてあることが好ましい。
【００１７】
ここで、この前・後輪３，４は、台座１を円滑に移動させるための構成であるが、前記後輪３，４は台座１から下方に２ｍｍだけ突出させている。つまり、この実施形態の台座１の上面は床面Ｕから３ｍｍという僅かな高さに設定されている。
（保持部５の構成について）
保持部５は、図１に示すように、マスカー９を床面から３ｍｍ離れた台座１の上面位置に、床面Ｕとの直交線を回転軸芯として回転可能に保持するものであり、この実施形態では、特に、保持部５はマスカー９の円筒状芯体９０が挿入される直立軸部５０としてある。したがって、マスカー９は保持部５として機能する直立軸部５０を回転軸芯として回転可能に保持されることになる。
【００１８】
ここで、直立軸部５０は、図３に示すように、同径軸部５１と、テーパ軸部５２と、雄ネジ部５３と、ナット５４から成るものであり、前記雄ネジ部５３にナット５４を最大にねじ込んだときの、ナット５４の下面と台座１の上面との間の長さは、マスカー９の高さより極僅かに大きく設定してある。
【００１９】
また、この直立軸部５０の同径軸部５１の直径は、マスカー９の円筒状芯体９０の内径とほぼ同径としてあり、マスカー９を構成する樹脂フィルム９１及び粘着テープ部９２が引き出されるときには、回転する円筒状芯体９０の内周面と同径軸部５１の外周面との間には多少なりとも摩擦力による制動力が作用するようにしてある。つまり、この実施形態では、円筒状芯体９０の内径と同径軸部５１の外径との上記設定により、上記課題を解決するための手段の欄に記載した制動手段が構成されている。
【００２０】
したがって、直立軸部５０から引き出されるマスカー９の引き出し速度に対してロール巻き状態にあるマスカー９は過回転しないので、押付ローラ６を介した樹脂フィルム９１及び粘着テープ部９２の引き出し時において、粘着テープ部９２は張った状態が維持されている。
（押付ローラ６の構成等について）
押付ローラ６は、図４、図５や図８に示すように、台座１に直立姿勢で固定され且つ上端域に雄ネジを有する支持軸６０と、前記支持軸６０に軸受け６１を介して取り付けられているローラ本体６２と、前記ローラ本体６２を支持軸６０に抜け止め状態に止めるべく支持軸６０に螺入されるナット６３から構成されており、前記ローラ本体６２は直立姿勢の支持軸６０により床面Ｕとの直交線を回転軸芯として回転自在になっている。なお、前記ローラ本体６２の外周面には、図５に示すように、ウレタンゴム６２ａをライニング処理してあり、これにより外周面の摩擦係数を大きくしてある。
（この養生用マスカー貼付装置Ｓを使った作業について）
▲１▼．図８に示すように、直立軸部５０にマスカー９の円筒状芯体９０を外挿し、最外側の端部を引き出して粘着テープ部９２の非粘着面側を押付ローラ６に巻き付け、その後、押付ローラ６が壁面Ｈと当接する位置を越えたところまで引き出して粘着テープ部９２の粘着面を壁面Ｈの最下部に指等で押し付ける（押し付け位置を符号Ｘで示す）。この状態においては、粘着テープ部９２の符号Ｘで示した範囲は強固に壁面Ｈに接着しており、台座１上では床面Ｕとの平行度がほぼ保たれるように粘着テープ部９２の下縁が接触している。
▲２▼．次に、図１に示すように、手押し部２が、これの上端側が壁面Ｈから離れる方向に、台座１の中心線ＣＬに対して５°程度傾けてある。作業者は手押し部２の上端の握り部を持ち、ほぼ歩く姿勢で台座１を前方へ移動させていく。
【００２１】
すると、マスカー９が保持部５である直立軸部５０を中心として回転しながら連続的に引き出されていくと同時に、押付ローラ６のローラ本体６２でマスカー９を構成する粘着テープ部９２の粘着部が壁面Ｈに連続的に押し付けられていくことになるが、粘着テープ部９２は台座１の上面で接触して床面Ｕと平行度がほぼ保たれているから、マスカー９は床面Ｕから３ｍｍ上で正しく貼り付けられていく。
【００２２】
なお、手押し部２は上記の如く５°程度傾斜させてあるから、壁面Ｈと平行に台車を進行させたときに、押付ローラ６のローラ本体６２に対して壁面Ｈからの反力が増していく傾向になる。つまり、マスカー９を構成する粘着テープ部９２は非粘着面から強く押え付けられる。
【００２３】
また、後輪４のローラ４０の外周面は大きな摩擦力を生み出すゴムライニング処理がなされているから、台車が床面Ｕ上を滑るようなことはなく、円滑にマスカー９の装着作業ができる。
【００２４】
さらに、前記ローラ本体６２の外周面には、ウレタンゴム６２ａをライニング処理して摩擦係数を大きくしてあるから、マスカー９の粘着テープ部９２の引き出しについても円滑なものとなる。
▲３▼．室内の角部にくると、台座１の移動を休止し、マスカー９の貼り付け作業がほぼ完了した壁面Ｈと隣接する壁面での長さ分だけマスカー９を引き出し切断する。そして、前記の長さ分については手で粘着テープ部９２を壁面Ｈの最下部に貼り付けていく。
▲４▼．上記▲１▼〜▲３▼を繰り返して、部屋の全周にマスカー９の粘着テープ部９２を貼り付けていく。
▲５▼．壁面Ｈへのマスカー９の貼り付けが完了すると、つづら折りされた樹脂フィルム９１の上端を手で掴んで上方に引き上げる。これにより図９に示すように、室内における壁面Ｈの最下部から一定範囲は粘着テープ部９２及び樹脂フィルム９１で覆われることになる。
（この養生用マスカー貼付装置Ｓを使った場合の効果について）
この養生用マスカー貼付装置Ｓを使った場合、作業者は手押し部２の上端の握り部を持ち、歩く姿勢で台座１を前方へ移動させていくだけである。したがって、作業者の肉体的負担は非常に軽減できることが明らかである。
【００２５】
また、手押し部２を持って歩く速度でマスカー９の粘着テープ部９２が連続して床面から３ｍｍだけ上で貼り付けられることになり、非常に効率良くマスカー９の設置作業ができる。
〔他の実施形態〕
「台座１について」
上記実施形態１では、台座１はリブ１１を除いて平面板で形成し、台座１の上面が床面から３ｍｍだけ上方としているが、これに限定されることなく、マスカー９が載せられる部分、押付ローラ６が設置される部分及びマスカー９の移動経路に相当する部分のみを床面から３ｍｍだけ上方としてもよい。
【００２６】
また、マスカー９が載せられる部分の高さは３ｍｍに限定されるものではなく２ｍｍでも、３ｍｍを超えてもでもよい。理論上は限りなく０ｍｍに近づけることができる。
「手押し部２について」
上記実施形態１では、手押し部２はＴ字形状としているが、この形状に限定されることなく、適宜形状を採用することができる。
【００２７】
上記実施形態１では、手押し部２は台座１の中心線ＣＬに対して自由な角度に変更できるものとしているが、中心線ＣＬに対して５°程度傾けた固定タイプのものでもよい。
【００２８】
また、上記手押し部２の傾斜角度は中心線ＣＬに対して５°に限定されるものではなく、０°等でも作業は可能と考えられる。要するにマイナス角度でなければよい。
「前輪３について」
上記実施形態１では、前輪３としてボールローラを使用しているが、これに限定されることなく、平面視３６０°方向でも自由に回転できるキャスターのようなものでもよい。
「後輪４について」
上記実施形態１では、後輪４は幅の広い一輪としているが、これに限定されることなく左右の二輪でもよい。
【００２９】
また、上記実施形態１では、後輪４はウレタンゴムをライニンク処理したものであるが、これに限定されることなく、摩擦係数が大きくなる処理を施したものであればよい。
「保持部５について」
上記実施形態１では制動手段として、円筒状芯体９０の内周径と直立軸部５０の外周径との間の摩擦力により構成してあるが、これに限定されることなく、直立軸部５０の雄ネジ部５３にナット５４を最大にねじ込んだときの、ナット５４の下面と台座１の上面との間の長さを、マスカー９の高さより極僅かに小さくし、ナット５４の下面と円筒状芯体９０の上端面との摩擦力により、マスカー９の回転に対して制動力を与えるようにしてもよい。ここで、ナット５４の下面と円筒状芯帯９０の上端面との摩擦力により、マスカー９の回転に対して制動力を与えるものとしては、その他、図１１に示すように、支持軸６０の上部域に設けた雄ネジ６０ａにワッシャ６５、圧縮コイルバネ６６、ワッシャ６７の順で挿通させた後、その上側でナット６４ａ，６４ｂを螺入した形態が採用できる。この形態では、ナット６４ａ，６４ｂを相対回転させてこれらの対向面相互を圧接状態にして適宜位置で両者を回転不能（所謂Ｗナット）にし、圧縮コイルバネ６６の付勢力によりワッシャ６５を円筒状芯体９０の上端に押し付けるようにする。
【００３０】
他方、図１０に示すように、直立軸部５０に縦方向に延びる複数のスリット５５を形成すると共に、外力が作用していないときには外径が円筒状芯体９０の内径より少し大きく、スリット５５が少し閉じたときにはその外径が円筒状芯体９０の内径より小さくなるように設定し、上部のテーパ部５６から円筒状芯体９０を圧入した構成でもよい。この場合、円筒状芯体９０の内周面と形状復帰した直立軸部５０の上部域の外周面とが圧接し、マスカー９の回転に対して制動力が付与される。
【００３１】
また、直立軸部５０としては、筒状の軸であってもよい。
「押付ローラ６について」
押付ローラ６は、押付ローラ６のローラ本体６２の一部が台座１から、平面視で台車移動方向に対して横方向に突出しているが、前記ローラ本体６２を、台座１内から突出する方向にバネで付勢し、前記バネの付勢力に抗して押し込み可能することもできる。この構成を採用した場合、台座１をこれの移動方向に対して横方向に移動させることなく、壁面Ｈの凹凸を吸収できる。
【００３２】
また、マスカー９には左巻き又は右巻きがあることから、押付ローラ６を、台座１の前進方向に対して平面視で左側に設けるようにしてもよい。そして、押付ローラ６は台座１の前進方向に対して左右間で簡単に付け替えることができるようにしてもよい。
【００３３】
【発明の効果】
発明の実施の形態の欄に記載した内容から、床面と隣接する壁面最下部にマスカーの粘着テープ部を貼り付ける場合において、作業者の肉体的負担が少なく、効率良くマスカーの粘着テープ部の貼り付け作業ができる養生用マスカー貼付装置を提供できた。
【図面の簡単な説明】
【図１】この発明の実施形態の養生用マスカー貼付装置の平面図。
【図２】前記養生用マスカー貼付装置の正面図。
【図３】前記養生用マスカー貼付装置の保持部を構成する直立軸部の正面図。
【図４】前記養生用マスカー貼付装置の押付ローラの斜視図。
【図５】前記養生用マスカー貼付装置の押付ローラの断面図。
【図６】マスカーの斜視図。
【図７】マスカーの縦断面図。
【図８】前記養生用マスカー貼付装置でマスカーを壁面に貼り付ける手順を説明するための図。
【図９】壁面に貼り付けられたマスカーの樹脂フィルムを広げた状態を示す正面図。
【図１０】保持体を構成する直立軸部の他の実施形態の正面図。
【図１１】保持体を構成する直立軸部の他の実施形態の正面図。
【符号の説明】
Ｓ      養生用マスカー貼付装置
１      台座
２      手押し部
３      前輪
４      後輪
５      保持部
６      押付ローラ
９      マスカー
６０    支持軸
９０    円筒状芯体
９２    粘着テープ部
【図１】
2004290842.tif 000003
【図２】
2004290842.tif 000004
【図３】
2004290842.tif 000005
【図４】
2004290842.tif 000006
【図５】
2004290842.tif 000007
【図６】
2004290842.tif 000008
【図７】
2004290842.tif 000009
【図８】
2004290842.tif 000010
【図９】
2004290842.tif 000011
【図１０】
2004290842.tif 000012
【図１１】
2004290842.tif 000013